(57)【要約】      （修正有）【課題】シンプルかつコンパクトな構成で安価に製造できる犬の糞の回収具を提供する。【解決手段】この犬の糞の回収具１は、可撓性を有する略四角の板状体２と、板状体２の左右両端に線対称に設けられ、その表面２ａから見て、ともに先下がりとなる糞の掬い部７と、板状体２の中央が凹んで掬い部７の先端同士が接近するように、板状体２の表面２ａの左右両端付近を前後方向にわたり略同時に押圧する押圧部３とを備えたので、シンプルかつコンパクトな構成となる結果、携帯性・保管性に優れ、かつ安価に製造できる。しかも、糞が路上に排出された場合はもちろんのこと、糞が草むらや砂利の上に排出された場合であっても、糞の掬い部７でほぼ確実に掬い取ることができて便利である。【選択図】図１
0003219720.tif 000002
【実用新案登録請求の範囲】
【請求項１】
可撓性を有する略四角の板状体と、
前記板状体の左右両端に線対称に設けられ、ともに先上り又はともに先下がりとなる糞の掬い部と、
前記板状体の中央が凹んで前記掬い部の先端同士が接近するように、前記板状体の左右両端付近を前後方向にわたり略同時に押圧する押圧部と
を備えたことを特徴とする犬の糞の回収具。
【請求項２】
前記押圧部は、使用者の手を引っ掛け可能な突状体であることを特徴とする請求項１記載の犬の糞の回収具。
【請求項３】
前記板状体に被されて、前記掬い部により掬い取られた糞を回収する袋体をさらに備えたことを特徴とする請求項１又は２記載の犬の糞の回収具。
【考案の詳細な説明】
【技術分野】
【０００１】
本考案は、犬の糞の回収具に関し、詳しくは犬の散歩時などに携行して、犬の糞を後始末するための器具に係るものである。
【背景技術】
【０００２】
従来の犬の糞の回収方法としては、路上などに糞が排出された後に、ティッシュペーパーなどを介して糞を直接手で掴み取る方法が知られている。この場合、手に糞の感触があって不快である。
【０００３】
また、路上などに糞が排出された後に、シャベルで糞掬い取って袋に回収する方法が知られている。この場合、糞で汚れたシャベルと袋とを別個に持ち歩くので不便である。
【０００４】
さらに、路上などに糞が排出される前に、犬の行動を察知して、犬の尻下においた袋で糞を受け取る方法が知られている。この場合、犬の行動を察知しなければならず、糞を取り損ねることがある。
【０００５】
そこで、一端をヒンジとして開閉自在でトング状の器具本体の一対をなす把持部の先端に、該把持部より広幅でかつその先端部を互いに内方へ略水平に屈曲させてバケット状の挟持片部を対設して形成し、前記把持部並びに挟持片部の間にポリ袋の下半部を挟ませるとともに、該ポリ袋の上半部は器具本体を包み込むように折り返した状態にて使用することにより、手も器具も一切汚すことなく犬の糞を始末することのできる技術が開発された（例えば特許文献１参照）。
【考案の概要】
【考案が解決しようとする課題】
【０００６】
しかし、特許文献１の技術では、構造が複雑なためコスト高となる。また、携帯するには嵩張るという問題があった。
【０００７】
本考案は、このような事情に鑑みてなされたもので、シンプルかつコンパクトな構成で安価に製造できる犬の糞の回収具を提供することを目的とする。
【課題を解決するための手段】
【０００８】
本考案は、可撓性を有する略四角の板状体と、前記板状体の左右両端に線対称に設けられ、ともに先上り又はともに先下がりとなる糞の掬い部と、前記板状体の中央が凹んで前記掬い部の先端同士が接近するように、前記板状体の左右両端付近を前後方向にわたり略同時に押圧する押圧部とを備えたことを特徴とする犬の糞の回収具に係るものである。
【０００９】
本考案によれば、可撓性を有する略四角の板状体と、前記板状体の左右両端に線対称に設けられ、ともに先上り又はともに先下がりとなる糞の掬い部と、前記板状体の中央が凹んで前記掬い部の先端同士が接近するように、前記板状体の左右両端付近を前後方向にわたり略同時に押圧する押圧部とを備えたので、シンプルでコンパクトな構造が得られ、これにより安価に製造できる。
【００１０】
また、本考案によれば、使用前・後はほぼ平面的な形状でありながら、使用時にのみ立体的な形状となるので、携帯性、保管性に優れたものとなる。
【００１１】
しかも、本考案によれば、糞が路上に排出された場合はもちろんのこと、糞が草むらや砂利の上に排出された場合であっても、掬い部でほぼ確実に糞を掬い取ることができて便利である。
【００１２】
請求項２記載の考案のように、前記押圧部は、使用者の手を引っ掛け可能な突状体であることが好ましい。
【００１３】
請求項２記載の考案によれば、前記押圧部は、使用者の手を引っ掛け可能な突状体であるので、使用者の手の大きさにかかわらず、使用時の取り扱い性がよくなる結果、片手操作が容易となる。
【００１４】
請求項３記載の考案のように、前記板状体に被されて、前記掬い部により掬い取られた糞を回収する袋体をさらに備えることが好ましい。
【００１５】
請求項３記載の考案によれば、前記板状体に被されて、前記掬い部により掬い取られた糞を回収する袋体をさらに備えたので、犬の糞で手や器具が汚染されることがなくなり、衛生的である。また、袋体は市販のポリ袋やビニール袋などを利用できるので、経済的でもある。
【考案の効果】
【００１６】
本考案によれば、可撓性を有する略四角の板状体と、前記板状体の左右両端に線対称に設けられ、ともに先上り又はともに先下がりとなる糞の掬い部と、前記板状体の中央が凹んで前記掬い部同士が接近するように、前記板状体の左右両端付近を前後方向にわたり略同時に押圧する押圧部とを備えたので、シンプルでコンパクトな構造が得られ、これにより安価に製造できる。
【００１７】
また、本考案によれば、使用前・後はやや扁平な形状でありながら、使用時にのみ立体的な形状となるので、携帯性、保管性に優れたものとなる。
【００１８】
しかも、本考案によれば、糞が路上に排出された場合はもちろんのこと、糞が草むらや砂利の上に排出された場合であっても、掬い部でほぼ確実に糞を掬い取ることができて便利である。
【図面の簡単な説明】
【００１９】
【図１】本考案の一実施形態に係る犬の糞の回収具の使用前・後の形態を示す全体構成図であって、（ａ）は平面図、（ｂ）は正面図である。
【図２】本実施形態に係る犬の糞の回収具の使用時の形態を示す全体構成図であって、（ａ）は平面図、（ｂ）は正面図である。
【考案を実施するための形態】
【００２０】
図１は本考案の一実施形態に係る犬の糞の回収具１の使用前・後の形態を全体構成図であって、（ａ）は平面図、（ｂ）は正面図である。なお、同図中のＸは左右方向、Ｙは前後方向、Ｚは上下方向を示す。
【００２１】
図１（ａ）（ｂ）に示すように、本実施形態に係る犬の糞の回収具１は、使用前・後は略四角形となっている板状体２と、板状体２に設けられた押圧部３と、板状体２に被せる袋体４とを備えている。
【００２２】
板状体２は、可撓性を有する合成樹脂板であって、複数回の屈曲・復元の繰り返しにも耐えうるものである。板状体２の左右両端には、その表面２ａから見て、ともに先下がりの傾斜面をなす、糞の掬い部７が板状体２の中央に対して線対称に設けられている。また、掬い部７の前後端には、安全性を考慮して、それぞれ斜めにカットした面取り部８が設けられている。あるいは、適当なアールがつけられてもよい。
【００２３】
押圧部３は、板状体２の表面２ａにおいて前後方向に延びる２条の突状体であって、板状体２の中央に対して左右両側に線対称に設けられている。各突状体は、断面四角形であり、板状体２の表面２ａに接着剤又は両面テープで貼りつけられる、やはり合成樹脂製の弾性体からなっている。
【００２４】
袋体４は、例えばスーパーマーケットやコンビニエンストアで買い物客に無償又は有償で提供される、市販のポリ袋やビニール袋などを利用する。いずれにせよ、その袋体４内に糞を入れたときに外部から見えないように不透明であって、かつ適当な防水機能と防臭機能とを持つものであることが望ましい。
【００２５】
本実施形態に係る犬の糞の回収具１の製造方法の一例を以下に示す。
【００２６】
まず、板状体２の素材である合成樹脂製の平板と、押圧部３の素材である厚肉テープとを用意する。このうちの平板から大人の手のひらサイズよりも若干大きい四角形状に切り出して板状体２とする。切り出した板状体２の四隅を、それぞれ数ミリ程度斜めにカットして面取り部８を設ける。あるいは、適当なアールがつけられてもよい。
【００２７】
面取り部８を設けた板状体２の左右両端から数センチ程度中央寄りの部分をそれぞれ下向きに４５°程度の傾斜角で折り曲げて、ともに先下がりとなる糞の掬い部７を形成する。
【００２８】
一方、厚肉テープは、断面四角形のものであるが、それを平板の前後方向の寸法よりもやや短めにカットして、２条の突状体をなす押圧部３を形成する。
【００２９】
そして、板状体２の表面２ａの左右両端寄りの位置に、押圧部３を前後方向に向けてそれぞれ接着剤で貼り付けると、本実施形態に係る犬の糞の回収具１が完成する。
【００３０】
完成した犬の糞の回収具１の使用方法を以下に示す。図２は本実施形態に係る犬の糞の回収具１の使用時の状態を示す全体構成図であって、（ａ）は平面図、（ｂ）は正面図である。なお、同図中のＸは左右方向、Ｙは前後方向、Ｚは上下方向を示す。
【００３１】
本実施形態に係る犬の糞の回収具１は、図１（ａ）（ｂ）に示すように、その使用前においては、やや扁平な形状となっているので、嵩張らず携帯性に優れている。また、重ねて保管することができるので、省スペースでもある。
【００３２】
図２（ａ）（ｂ）に示すように、使用時においては、押圧部３が使用者の例えば左手５で把持されたときに、その親指と残りの指とでそれぞれ板状体２の左右端付近を挟み込むようにして押圧することにより、その押圧力が板状体２の表面２ａの前後方向に略同時にかかり、均一に分散される。そして、板状体２が下向きの凹部９を有する立体的な形状（アーチ状）となるので、片手操作が可能となる。
【００３３】
このアーチ状となった板状体２に袋体４が被せられた状態で押圧部３をさらに押圧することにより、その押圧力で掬い部７の先端同士が近接する結果、凹部９が完全に閉じられるので、袋体４を介して掬い部７で糞６が取りこぼしなく確実に掬い取られる。このとき、雑草や小石や砂利の上に排出された糞６であってもほぼ確実に掬い取られる。
【００３４】
また、板状体２に被されて、掬い部７により掬い取られた糞６を回収する袋体４を備えたので、犬の糞６で手や器具が汚染されることがなくなり、衛生的である。
【００３５】
袋体４が裏表反転されることにより、糞６が袋体４内に回収された後、使用者が手５の指を押圧部３から離すことにより、押圧部３の押圧力が解除されると、図１（ａ）（ｂ）に示した使用前のやや扁平な形状に弾性復帰する。そして、袋体４だけを取り換えることにより、犬の糞の回収具１を繰り返し使用することができるので、経済的である。
【００３６】
以上説明したように、本実施形態の犬の糞の回収具１によれば、可撓性を有する略四角の板状体２と、板状体２の左右両端に線対称に設けられ、その表面２ａから見て、ともに先下がりとなる糞の掬い部７と、板状体２の中央が凹んで掬い部７の先端同士が接近するように、板状体２の表面２ａの左右両端付近を前後方向にわたり略同時に押圧する押圧部３とを備えたので、シンプルでコンパクトな構造が得られ、これにより安価に製造できる。
【００３７】
また、使用前・後はやや扁平な形状でありながら、使用時にのみ立体的な形状となるので、携帯性、保管性に優れたものとなる。
【００３８】
しかも、糞６が路上に排出された場合はもちろんのこと、糞６が草むらや砂利の上に排出された場合であっても、掬い部７でほぼ確実に糞を掬い取ることができて便利である。
【００３９】
また、押圧部３は、使用者の手５を引っ掛け可能な突状体であるので、使用者の手５の大きさにかかわらず、使用時の取り扱い性がよくなる。また、押圧部３を後付けすることにより、より安価に製造できるようになる。
【００４０】
さらに、板状体２と押圧部３とを、ともに合成樹脂製の素材である平板と厚肉テープから製造することにより、加工性に優れるとともに、燃えるごみとして処理できるようにしているので、それ自体が環境にやさしいともいえる。
【００４１】
なお、上記実施形態の犬の糞の回収具１では、板状体２と押圧部３とに加えて、袋体４を備えているが、必ずしも袋体４を含めて売買する必要性はない。袋体４は市販のポリ袋やビニール袋などを使用できるからである。
【００４２】
また、上記実施形態の犬の糞の回収具１では、板状体２の左右両端の掬い部７は、表面２ａから見て先下がりの傾斜面としているが、適当なアールの屈曲面としてもよい。いずれにせよ、押圧部３は板状体２の表面２ａに設けることで、その押圧部３を押圧すると掬い部７の先端同士が近接することとなる。また先上がりの傾斜面又は屈曲面であってもよい。その場合は、いずれも押圧部３は板状体２の裏面（表面２ａの反対面）に設けることとなる。
【００４３】
また、上記実施形態では、押圧部３を板状体２に後付けすることにより、より安価に製造できるようになるとしているが、大量生産の場合は、むしろ押圧部３を板状体２と一体形成することにより、さらに安価に製造できるようになる。
【００４４】
その場合、板状体２の一部を押し出して、押圧部３を例えば底の抜けた断面台形状などに形成すると、犬の糞の回収具１を多数重ねても、上下の押圧部３が互いに干渉しなくなる結果、上下板状体２の厚みの高さだけが加算されることとなり、省スペースとなるから、さらに保管性がよくなる。
【００４５】
また、上記実施形態では、使用者が右手で犬を繋ぐ紐の端を持っているとして、左手で犬の糞の回収具１を把持しているが、この逆に紐の端を左手に持って、右手で犬の糞の回収具１を把持してもよい。
【００４６】
また、上記実施形態では、犬の糞の回収具１の板状体２と押圧部３とを、ともに合成樹脂製の素材である、平板と厚肉テープから製造することにより、燃えるごみとして廃棄できるようにしているが、袋体４以外の要素の一部又は全部を金属製としてもよい。
【００４７】
また、上記実施形態では、犬の糞の回収具１としているが、猫その他のペットの糞を回収することもできる。
【符号の説明】
【００４８】
１  犬の糞の回収具
２  板状体
２ａ  板状体の表面
３  押圧部
４  袋体
５  使用者の（左）手
６  犬の糞
７  糞の掬い部
８  面取り部
９  凹部
【先行技術文献】
【特許文献】
【００４９】
【特許文献１】実開昭６０−４６８７３号公報
【図１】
0003219720.tif 000003
【図２】
0003219720.tif 000004